(57)【要約】【課題】コンテンツの視聴可能性を広げ得るようにする。【解決手段】放送受信装置３のＣＡＳカード５に記憶された暗号化視聴履歴情報ＩＲａを、電話線６を介して情報中継装置１１へ受け渡した後、当該情報中継装置１１から近距離無線通信により暗号化視聴履歴情報ＩＲｂを携帯電話機１２へ送信し、これを当該携帯電話機１２から携帯電話網１７を介して収集装置１８へ送信することにより、放送受信装置３が設置された家庭において電話回線網７を利用することなく、視聴履歴情報ＩＲを収集装置１８へ受け渡すことができ、課金処理を正常に行うことができる。【選択図】        図２
2008042327.tif 000002
【特許請求の範囲】
【請求項１】
コンテンツをユーザに視聴させる視聴装置と、当該視聴装置における当該コンテンツの視聴履歴情報を中継する情報中継装置と、上記視聴履歴情報を収集する収集装置とを有するコンテンツ視聴システムであって、
上記情報中継装置は、
上記視聴装置から所定の有線通信により上記視聴履歴情報を取得する取得手段と、
上記取得手段により取得した上記視聴履歴情報を所定の無線通信によって所定の通信装置へ無線送信することにより、当該視聴履歴情報を上記通信装置から所定の通信網を介して上記収集装置へ送信させる無線通信手段と
を具えることを特徴とするコンテンツ視聴システム。
【請求項２】
コンテンツをユーザに視聴させる視聴装置から所定の有線通信によって当該コンテンツの視聴履歴情報を取得する取得手段と、
上記取得手段により取得した上記視聴履歴情報を所定の無線通信によって所定の通信装置へ無線送信することにより、当該通信装置から当該視聴履歴情報を収集する収集装置に対して所定の通信網を介し当該視聴履歴情報を送信させる無線通信手段と
を具えることを特徴とする情報中継装置。
【請求項３】
上記有線通信は、電話線を介した通信であり、
上記取得手段は、上記視聴装置から電話回線網に対して送信される通信信号を基に当該視聴履歴情報を取得する
ことを特徴とする請求項２に記載の情報中継装置。
【請求項４】
上記無線通信は、近距離無線通信でなり、
上記通信装置は、
上記近距離無線通信に対応した携帯電話機でなり、所定の携帯電話網を介して上記視聴履歴情報を上記収集装置へ送信する
ことを特徴とする請求項２に記載の情報中継装置。
【請求項５】
上記無線通信は、近距離無線通信でなり、
上記無線通信手段は、上記視聴履歴情報を上記近距離無線通信により所定の情報記憶媒体に一時記憶させ、
上記通信装置は、
上記近距離無線通信により上記情報記憶媒体から上記視聴履歴情報を取得し、上記通信網を介して上記視聴履歴情報を上記収集装置へ送信する
ことを特徴とする請求項２に記載の情報中継装置。
【請求項６】
上記無線通信は、
無線ＬＡＮ（Local Area Network）通信でなり、
上記通信装置は、
上記無線ＬＡＮ通信により受信した上記視聴履歴情報を上記通信網を介して上記収集装置へ送信する
ことを特徴とする請求項２に記載の情報中継装置。
【請求項７】
上記情報中継装置は、
上記取得手段により上記視聴装置から取得した上記視聴履歴情報を記憶する記憶手段と、
上記視聴装置から上記視聴履歴情報を取得した段階で、当該視聴装置に対して情報消去命令を送信することにより当該視聴装置から上記視聴履歴情報を消去させる情報消去命令送信手段と、
上記通信装置を介して上記視聴履歴情報を上記収集装置へ送信した後、当該収集装置から上記通信装置を介して供給される情報消去命令に従い、上記記憶手段に記憶している上記視聴履歴情報を消去する消去手段と
を具えることを特徴とする請求項２に記載の情報中継装置。
【請求項８】
コンテンツをユーザに視聴させる視聴装置から所定の有線通信によって当該コンテンツの視聴履歴情報を取得する取得ステップと、
上記取得ステップにより取得した所定の近距離無線通信によって上記視聴履歴情報を所定の通信装置へ無線送信することにより、当該通信装置から当該視聴履歴情報を収集する収集装置に対して所定の通信網を介し当該視聴履歴情報を送信させる無線通信ステップと
を具えることを特徴とする情報中継方法。
【発明の詳細な説明】
【技術分野】
【０００１】
本発明はコンテンツ視聴システム、情報中継装置及び情報中継方法に関し、例えば放送されるコンテンツをユーザに視聴させるコンテンツ視聴システムに適用して好適なものである。
【背景技術】
【０００２】
従来、コンテンツ視聴システムにおいては、放送局から放送されるコンテンツをユーザに視聴させるようになされている。この放送されるコンテンツのなかには、課金されずユーザが無償で視聴できるものと、コンテンツの視聴に対して課金されるものとがある。
【０００３】
コンテンツに対して課金が行われる場合、課金の方式としては、放送されるチャンネル単位で課金される方式（いわゆるフラット方式）や、コンテンツ単位で課金される方式（いわゆるペイパービュー（Pay per View）方式）等がある。
【０００４】
例えば図１に示すコンテンツ視聴システム１は、ペイパービュー方式に対応しており、図示しない放送局からコンテンツ（例えばテレビジョン番組）がいわゆるスクランブルをかけられた状態で放送されており、所定の放送スケジュール等を参照したユーザにより所望のコンテンツが選択された場合、アンテナ２を介して放送受信装置３により当該コンテンツを受信するようになされている。
【０００５】
放送受信装置３は、受信したコンテンツに対して所定のスクランブル解除処理を施すことにより視聴可能な状態に戻し、これを表示モニタ４へ送出し表示させることにより、当該コンテンツをユーザに視聴させるようになされている。
【０００６】
また放送受信装置３は、ＣＡＳ（Conditional Access System）カード５が装填されるようになされている。このＣＡＳカード５は、いわゆるＩＣ（Integrated Circuit）カードでなり、個別に付与されたＩＤ（Identity）番号を記憶すると共に、コンテンツに関する視聴履歴を視聴履歴情報ＩＲとして記憶し得るようになされている。
【０００７】
実際上、放送受信装置３は、ユーザに選択されたコンテンツを受信した際、当該コンテンツがユーザにより視聴されたことを表す視聴履歴情報ＩＲをＣＡＳカード５に記憶させるようになされている。
【０００８】
さらに放送受信装置３は、電話線６を介して電話回線網７に接続されている。また電話回線網７には、視聴履歴情報ＩＲを収集する収集装置８が接続されている。実際上、放送受信装置３は、例えば１週間に１回等の間隔で、電話回線網７を介して収集装置８に対して回線接続し、視聴履歴情報ＩＲを送信するようになされている。
【０００９】
このとき収集装置８は、放送受信装置３に対してクリア信号を送信することにより、ＣＡＳカード５に記憶されている視聴履歴情報ＩＲを消去させ、当該ＣＡＳカード５に新たな視聴履歴情報ＩＲを記憶させ得るようになされている。
【００１０】
コンテンツを放送する放送事業者は、収集装置８により収集した視聴履歴情報ＩＲを基に、各ユーザに対して課金額を決定し請求するようになされている。
【００１１】
このようにコンテンツ視聴システム１では、ユーザにより視聴されたコンテンツを視聴履歴情報ＩＲにより記憶しておき、電話回線網７を介して当該視聴履歴情報ＩＲを収集し、ユーザに対する課金を行うようになされている。
【００１２】
ところでコンテンツ視聴システム１では、上述したように視聴履歴情報ＩＲを収集装置８へ送信するために、放送受信装置３と電話回線網７とを電話線６により接続する必要がある。しかしながら、実際に放送受信装置３が設置される一般家庭等では、放送受信装置３の設置箇所と電話線の引き込み口との距離や位置関係等の問題により、電話線６による配線が困難となる場合があった。
【００１３】
そこで放送受信装置３の中には、コードレス電話機の子機と同等の機能を設け、当該コードレス電話機の親機との間で無線通信を行うことにより、電話線６による接続を不要としたものが提案されている（例えば、特許文献１参照）。
【特許文献１】特開２００５−２４５０１３公報（第１図）
【発明の開示】
【発明が解決しようとする課題】
【００１４】
ところで近年では、携帯電話機の普及や、光ファイバを利用したＩＰ（Internet Protocol）電話システムの実用化等に伴い、いわゆる固定電話回線に加入していない家庭、すなわち電話回線網７に接続されていない家庭が増えつつある。
【００１５】
この場合、コンテンツ視聴システム１では、放送受信装置３から電話回線網７を介して収集装置８に視聴履歴情報ＩＲを送信することができない。すなわちコンテンツ視聴システム１では、放送事業者がコンテンツ単位での課金を行うことができないため、ユーザにコンテンツを視聴させること、すなわちユーザに放送サービスを提供することができなくなってしまう、という問題があった。
【００１６】
本発明は以上の点を考慮してなされたもので、コンテンツの視聴可能性を広げ得るコンテンツ視聴システム、情報中継装置及び情報中継方法を提案しようとするものである。
【課題を解決するための手段】
【００１７】
かかる課題を解決するため本発明のコンテンツ視聴システムにおいては、コンテンツをユーザに視聴させる視聴装置と、当該視聴装置における当該コンテンツの視聴履歴情報を中継する情報中継装置と、視聴履歴情報を収集する収集装置とを有するコンテンツ視聴システムであって、情報中継装置は、視聴装置から所定の有線通信により視聴履歴情報を取得する取得手段と、取得手段により取得した視聴履歴情報を所定の無線通信によって所定の通信装置へ無線送信することにより、当該視聴履歴情報を通信装置から所定の通信網を介して収集装置へ送信させる無線通信手段とを設けるようにした。
【００１８】
これにより、視聴装置における有線通信を利用しながら、情報中継装置から視聴履歴情報を近距離無線通信によって通信装置へ受け渡し、当該通信装置から当該視聴履歴情報を収集装置へ送信することができる。
【００１９】
また本発明の情報中継装置及び情報中継方法においては、コンテンツをユーザに視聴させる視聴装置から所定の有線通信によって当該コンテンツの視聴履歴情報を取得し、取得した視聴履歴情報を所定の無線通信によって所定の通信装置へ無線送信することにより、当該通信装置から当該視聴履歴情報を収集する収集装置に対して所定の通信網を介し当該視聴履歴情報を送信させるようにした。
【００２０】
これにより、視聴装置における有線通信を利用しながら、情報中継装置から視聴履歴情報を近距離無線通信によって通信装置へ受け渡し、当該通信装置から当該視聴履歴情報を収集装置へ送信することができる。
【発明の効果】
【００２１】
本発明によれば、視聴装置における有線通信を利用しながら、情報中継装置から視聴履歴情報を近距離無線通信によって通信装置へ受け渡し、当該通信装置から当該視聴履歴情報を収集装置へ送信することができ、かくしてコンテンツの視聴可能性を広げ得るコンテンツ視聴システム、情報中継装置及び情報中継方法を実現できる。
【発明を実施するための最良の形態】
【００２２】
以下、図面について、本発明の一実施の形態を詳述する。
【００２３】
（１）第１の実施の携帯
（１−１）コンテンツ視聴システムの構成
図１との対応部分に同一符号を付した図２おいて、コンテンツ視聴システム１０は、コンテンツ視聴システム１と同様、全体としてユーザに選択されたコンテンツを受信し、当該ユーザに視聴させるようになされている。
【００２４】
このコンテンツ視聴システム１０では、コンテンツ視聴システム１と同様、放送受信装置３において受信した、すなわちユーザに視聴されたコンテンツに対して、コンテンツ単位で課金されるようになされている。しかしながらコンテンツ視聴システム１０は、電話回線網７を利用せずに携帯電話網１７を利用し、収集装置８と対応する収集装置１８を用い、さらに携帯電話機１２及び情報中継装置１１を利用する点で、コンテンツ視聴システム１とは異なった構成を有している。
【００２５】
放送受信装置３は、コンテンツ視聴システム１の場合と同様、ペイパービュー方式に対応している。例えば放送受信装置３は、ユーザにより選択されたコンテンツを、放送局（図示せず）からスクランブルをかけられた状態でアンテナ２を介して受信する。
【００２６】
続いて放送受信装置３は、受信したコンテンツのスクランブルを解除して表示モニタ４へ送出することにより、当該コンテンツをユーザに視聴させる。また放送受信装置３は、このときコンテンツがユーザに選択され視聴されたことを表す視聴履歴情報ＩＲをＣＡＳカード５に記憶させる。
【００２７】
このとき放送受信装置３は、ＣＡＳカード５に予め記憶されている鍵データＫａを用いて視聴履歴情報ＩＲを暗号化し、当該視聴履歴情報ＩＲを暗号化した状態で記憶するようになされている（以下、鍵データＫａにより暗号化された視聴履歴情報ＩＲを暗号化視聴履歴情報ＩＲａと呼ぶ）。
【００２８】
因みに放送受信装置３は、ＣＡＳカード５に対して予め設定された暗号化方式（例えばＤＥＳ（Data Encryption Standard）等の共通鍵暗号化方式）を用いて視聴履歴情報ＩＲを暗号化するようになされている。
【００２９】
さらに放送受信装置３は、例えば１週間に１回等の間隔で、電話線６を介して収集装置１８に視聴履歴情報ＩＲ（実際には暗号化視聴履歴情報ＩＲａ）を送信するようになされている。このとき放送受信装置３は、コンテンツ視聴システム１の場合と同様、電話回線網７（図１）を介した電話接続を行うための発呼処理を行う。
【００３０】
これに対して情報中継装置１１は、電話回線網７における電話交換機（図示せず）と類似した着呼処理を行うことにより、放送受信装置３との間で電話線６を介した通信（以下、これを電話線通信と呼ぶ）を行うようになされている。
【００３１】
具体的に情報中継装置１１は、図３に示すような回路構成を有しており、ＣＰＵ（Central Processing Unit）構成でなる制御部２０により全体を統括制御するようになされている。
【００３２】
情報中継装置１１は、電話インタフェース（Ｉ／Ｆ）２１により電話線６を介して放送受信装置３と接続されている。情報中継装置１１の制御部２０は、放送受信装置３から発呼されたことを電話インタフェース２１により検出すると、当該電話インタフェース２１により所定の着呼処理を行い、当該放送受信装置３との間に電話線通信を確立する。
【００３３】
このとき放送受信装置３（図２）は、電話線通信が確立されると、ＣＡＳカード５から暗号化視聴履歴情報ＩＲａを順次読み出し、電話線６を介して情報中継装置１１へ送信する。
【００３４】
これに応じて情報中継装置１１の制御部２０は、電話インタフェース２１により受信した暗号化視聴履歴情報ＩＲａを復号化回路２２へ順次供給する。復号化回路２２は、図示しない不揮発性メモリから鍵データＫａを読み出し、当該鍵データＫａを用いて暗号化視聴履歴情報ＩＲａを順次復号化して視聴履歴情報ＩＲに戻し、これを順次正当性確認部２３へ供給する。
【００３５】
正当性確認部２３は、復号化回路２２により視聴履歴情報ＩＲが正常に復号化されたか否か、すなわち取得した暗号化視聴履歴情報ＩＲａが正当なものであったか否かを確認する。
【００３６】
正当性確認部２３により視聴履歴情報ＩＲの正当性が確認された場合、制御部２０は、当該視聴履歴情報ＩＲをメモリ２４へ供給して記憶させる。さらに制御部２０は、ＣＡＳカード５（図２）の暗号化視聴履歴情報ＩＲａを消去させるためのクリア信号ＳＣをクリア信号作成部２５により生成させ、これを暗号化回路２６へ供給させる。
【００３７】
この場合、情報中継装置１１の制御部２０は、放送受信装置３から正当な暗号化視聴履歴情報ＩＲａを取得できたことにより、ＣＡＳカード５（図２）に当該暗号化視聴履歴情報ＩＲａを残しておく必要性がなくなったと判断し、クリア信号ＳＣを生成させる。
【００３８】
暗号化回路２６は、図示しない不揮発性メモリから読み出した鍵データＫａを用いてクリア信号ＳＣを暗号化して暗号化クリア信号ＳＣａとし、これを電話インタフェース２１へ供給する。このとき制御部２０は、電話インタフェース２１から暗号化クリア信号ＳＣａを送信させる。
【００３９】
これに応じて放送受信装置３は、暗号化クリア信号ＳＣａを受信した後、当該暗号化クリア信号ＳＣａに対して鍵データＫａを用いた復号化処理を行うことによりクリア信号ＳＣを抽出し、当該クリア信号ＳＣに基づきＣＡＳカード５に記憶している暗号化視聴履歴情報ＩＲａを消去するようになされている。
【００４０】
これにより放送受信装置３は、ＣＡＳカード５の記憶容量を回復させることができるので、ユーザが新たにコンテンツを視聴した際に、新たな視聴履歴情報ＩＲ（暗号化視聴履歴情報ＩＲａ）をＣＡＳカード５に記憶させることができる。
【００４１】
因みに放送受信装置３は、暗号化視聴履歴情報ＩＲａの送信相手及び暗号化クリア信号ＳＣａの送信元が情報中継装置１１であることを特に認識しておらず、コンテンツ視聴システム１（図１）の場合と同様に、電話回線網７を介し収集装置８を通信相手としているものと想定して、暗号化視聴履歴情報ＩＲａを送信し、また暗号化クリア信号ＳＣａを受信するようになされている。
【００４２】
このようにコンテンツ視聴システム１０では、放送受信装置３と情報中継装置１１との間で電話線通信を確立した後、当該放送受信装置３によりＣＡＳカード５から読み出した暗号化視聴履歴情報ＩＲａを情報中継装置１１に受け渡し、復号化後の視聴履歴情報ＩＲをメモリ２４に記憶させるようになされている。
【００４３】
さらにコンテンツ視聴システム１０では、情報中継装置１１から放送受信装置３へ暗号化クリア信号ＳＣａを供給することにより、ＣＡＳカード５から暗号化視聴履歴情報ＩＲａを消去させるようになされている。
【００４４】
すなわちコンテンツ視聴システム１０では、情報中継装置１１によって電話回線網７及び収集装置８を模した動作を行うことにより、放送受信装置３に対して、コンテンツ視聴システム１（図１）の場合と全く同様に動作させるようになされている。
【００４５】
かかる構成に加えて情報中継装置１１の制御部２０（図３）は、近距離無線インタフェース（Ｉ／Ｆ）２８により、携帯電話機１２（図２）が近距離無線通信アンテナ１１Ａの近傍にかざされたか否かを監視するようになされている。
【００４６】
ここで携帯電話機１２は、情報中継装置１１の近距離無線インタフェース２８に対応する近距離無線インタフェース（図示せず）が設けられており、例えばＦｅｌｉＣａ（ソニー株式会社の登録商標）やＩＳＯ／ＩＥＣ１４４４３  ＴｙｐｅＡ又はＴｙｐｅＢ等の方式でなる近距離無線通信により、当該情報中継装置１１との間で互いに情報通信を行い得るようになされている。
【００４７】
因みにこの近距離無線通信では、通信する情報に対して所定の暗号化処理が施されるようになされており、無線化された情報の不正な傍受や不正アクセス等を事実上不可能としている。
【００４８】
制御部２０は、携帯電話機１２（図２）が近距離無線通信アンテナ１１Ａの近傍にかざされたことを検出した場合、メモリ２４に記憶している視聴履歴情報ＩＲを順次読み出して暗号化回路２７へ供給する。
【００４９】
これに応じて暗号化回路２７は、図示しない不揮発メモリに記憶している鍵データＫｂを用いて視聴履歴情報ＩＲを暗号化することにより暗号化視聴履歴情報ＩＲｂとし、さらに予め情報中継装置１１に個別に付与されている装置識別子ＩＤＳをヘッダ情報として組み合わせることにより、図４に示すような送信データＤＳを順次生成し、これを近距離無線インタフェース２８へ供給する。
【００５０】
近距離無線インタフェース２８は、送信データＤＳに対して所定の変調処理等を施した上で、アンテナ１１Ａを介して当該送信データＤＳを携帯電話機１２（図２）へ送出する。
【００５１】
このように情報中継装置１１は、近距離無線通信を用いることにより、メモリ２４に記憶している視聴履歴情報ＩＲを携帯電話機１２へ受け渡すようになされている。
【００５２】
このとき情報中継装置１１は、携帯電話機１２へ視聴履歴情報ＩＲを受け渡す手段として近距離無線通信を用いているため、有線接続を行う必要が無い。すなわち情報中継装置１１は、配線の引き回しによる設置場所等の制約を与えることが無く、またユーザに配線の手間をかけさせることが無い。
【００５３】
携帯電話機１２（図２）は、所定のデータ送信プログラムを実行することにより、携帯電話網１７を介し収集装置１８に対して送信データＤＳを送信する。因みに携帯電話網１７は、携帯電話機１２との間では無線電波を介した携帯電話通信を行い、収集装置１８との間では有線接続によるネットワーク通信を行うようになされている。
【００５４】
収集装置１８は、図５に示すような構成を有しており、一般的なサーバ装置等と同様に、ＣＰＵ（図示せず）を中心としたコンピュータ装置により構成されている。実際上、収集装置１８は、ネットワークインタフェース（Ｉ／Ｆ）３１を介して携帯電話網１７（図２）と接続されており、当該携帯電話網１７から送信データＤＳを受信すると、当該送信データＤＳを鍵データ記憶部３２及び復号化回路３３へ供給する。
【００５５】
鍵データ記憶部３２は、情報中継装置１１に個別に設定された装置識別子ＩＤＳに対応づけて、当該情報中継装置１１ごとの鍵データＫｂを予め記憶している。鍵データ記憶部３２は、送信データＤＳに含まれる装置識別子ＩＤＳを認識し、当該装置識別子ＩＤＳに対応した鍵データＫｂを読み出して復号化回路３３へ供給する。
【００５６】
復号化回路３３は、鍵データ記憶部３２から供給された鍵データＫｂを用いて、送信データＤＳに含まれる暗号化視聴履歴情報ＩＲｂを復号化することにより、視聴履歴情報ＩＲを復元し、これを装置識別子ＩＤＳと共に正当性確認部３４へ供給する。
【００５７】
正当性確認部３４は、復号化回路３３において視聴履歴情報ＩＲを正常に復号化できたか否かを確認する。正当性確認部３４は、正常に復号化できたことを確認した場合、装置識別子ＩＤＳ及び視聴履歴情報ＩＲを視聴履歴情報記憶部３５へ供給することにより、視聴履歴情報ＩＲを装置識別子ＩＤＳに対応づけて記憶する。
【００５８】
さらに正当性確認部３４は、正常に復号化できたことを確認した場合、クリア信号作成回路３７によりクリア信号ＳＣを生成させ、これを暗号化回路３８へ供給させる。暗号化回路３８は、鍵データ記憶部３２から供給される鍵データＫｂを用いてクリア信号ＳＣを暗号化することにより暗号化クリア信号ＳＣｂを生成し、これをネットワークインタフェース３１へ供給する。これに応じてネットワークインタフェース３１は、暗号化クリア信号ＳＣｂを携帯電話機１２に宛てて携帯電話網１７へ送出する。
【００５９】
このように収集装置１８は、受信データＤＳを受信し、視聴履歴情報ＩＲを正常に復号化できた場合、当該視聴履歴情報ＩＲを装置識別子ＩＤＳに対応づけて視聴履歴情報記憶部３５に記憶させると共に、暗号化クリア信号ＳＣｂを送出するようになされている。
【００６０】
この場合、収集装置１８は、収集装置８（図１）が電話回線網７を介して放送受信装置３から暗号化視聴履歴情報ＩＲａを受信した場合と同様に、既に取得した暗号化視聴履歴情報ＩＲｂを送信元から消去させるべく、暗号化クリア信号ＳＣｂを送出するようになされている。
【００６１】
これに応じて携帯電話網１７は、暗号化クリア信号ＳＣｂを無線化して携帯電話機１２へ送信するようになされている。
【００６２】
携帯電話機１２は、暗号化クリア信号ＳＣｂを受信した後、ユーザにより情報中継装置１１の近距離無線通信アンテナ１１Ａの近傍にかざされたことを検出した場合、近距離無線通信により暗号化クリア信号ＳＣｂを送信するようになされている。
【００６３】
このとき情報中継装置１１（図３）の制御部２０は、アンテナ１１Ａにより暗号化クリア信号ＳＣｂを受信させ、これを近距離無線インタフェース２８により所定の電気信号に変換させた後、当該暗号化クリア信号ＳＣｂを復号化回路２９へ供給する。
【００６４】
復号化回路２９は、図示しない不揮発性メモリから鍵データＫｂを読み出し、当該鍵データＫｂを用いて暗号化クリア信号ＳＣｂを復号化してクリア信号ＳＣとし、これを正当化確認部３０へ供給することにより、当該クリア信号ＳＣを正常に復号化できたか否か確認させる。
【００６５】
ここで制御部２０は、正当化確認部３０によってクリア信号ＳＣの正常な復号化を確認できた場合、当該クリア信号ＳＣに従いメモリ２４に記憶している視聴履歴情報ＩＲを全て消去させる。
【００６６】
これにより情報中継装置１１は、メモリ２４の記憶容量を回復させることができるので、新たな暗号化視聴履歴情報ＩＲａを放送受信装置３から取得した場合、当該メモリ２４に視聴履歴情報ＩＲを記憶させることができる。
【００６７】
このように情報中継装置１１は、視聴履歴情報ＩＲを鍵データＫｂにより暗号化して暗号化視聴履歴情報ＩＲｂとし、これを近距離無線通信によって携帯電話機１２へ送信し、当該携帯電話機１２より携帯電話網１７を介して収集装置１８へ送信させるようになされている。また情報中継装置１１は、収集装置１８から携帯電話網１７及び携帯電話機１２を介し近距離無線通信によって受信したクリア信号（暗号化クリア信号ＳＣｂ）に従い、視聴履歴情報ＩＲを消去するようになされている。
【００６８】
このためコンテンツ視聴システム１０では、放送受信装置３が設置された家庭に固定電話回線が敷設されておらず電話回線網７（図１）を利用できなかったとしても、情報中継装置１１により電話線６を介して当該放送受信装置３から視聴履歴情報ＩＲを一度吸い上げ、携帯電話機１２及び携帯電話網１７を用いた近距離無線通信、携帯電話網通信及びネットワーク通信を利用することにより、当該視聴履歴情報ＩＲを収集装置１８へ送信することができる。
【００６９】
因みに収集装置１８（図５）は、課金処理部３６により、所定の期間（例えば１ヶ月）ごとに視聴履歴情報記憶部３５に記憶されている装置識別子ＩＤＳ別の視聴履歴情報を集計し、課金金額の通知等といった課金処理を行うことにより、装置識別子ＩＤＳが割り当てられている情報中継装置１１（図２）のユーザに対してコンテンツの視聴料金を請求するようになされている。
【００７０】
（１−２）視聴履歴情報の通信シーケンス
次に、コンテンツ視聴システム１０における視聴履歴情報の通信シーケンスについて説明する。コンテンツ視聴システム１０では、全体的な通信シーケンスを図６に示すように、まず放送受信装置３と情報中継装置１１との間で電話線通信による視聴履歴情報取得シーケンスＱ１が実行され、次に当該情報中継装置１１、携帯電話機１２及び収集装置１８の間で近距離無線通信及び携帯電話網通信による視聴履歴情報送信シーケンスＱ２が実行されるようになされている。因みに、携帯電話網１７については省略している。
【００７１】
（１−２−１）視聴履歴情報取得シーケンス
まず、放送受信装置３と情報中継装置１１との間における視聴履歴情報取得シーケンスＱ１について、図７を用いて詳細に説明する。
【００７２】
放送受信装置３は、例えば１週間に１回等の間隔でルーチンＲＴ１を開始し、ステップＳＰ１へ移る。ステップＳＰ１において放送受信装置３は、電話線６（図２）を介して発呼処理を行う。
【００７３】
これに対して情報中継装置１１の制御部２０は、電源が投入された時点でルーチンＲＴ２を開始するようになされている。実際上、制御部２０は、ルーチンＲＴ２を開始するとステップＳＰ１１へ移り、放送受信装置３からの発呼を受けたか否かを判定する。ここで否定結果が得られると、制御部２０は再度ステップＳＰ１１を繰り返し、当該放送受信装置３からの発呼を待ち受ける。
【００７４】
一方、ステップＳＰ１において肯定結果が得られると、制御部２０は視聴履歴情報ＩＲを受信するべく、次のステップＳＰ２へ移る。
【００７５】
このとき放送受信装置３は、ステップＳＰ１において発呼処理に対する応答があり、電話回線接続が確立されたことを認識すると、次のステップＳＰ２へ移る。ステップＳＰ２において放送受信装置３は、ＣＡＳカード５から暗号化視聴履歴情報ＩＲａを読み出し、電話線６を介して順次送信する。
【００７６】
これに応じて情報中継装置１１の制御部２０は、ステップＳＰ１２において、電話インタフェース２１によって放送受信装置３からの暗号化視聴履歴情報ＩＲａを順次受信し、次のステップＳＰ１３へ移る。
【００７７】
ステップＳＰ１３において制御部２０は、復号化回路２２によって鍵データＫａを用いて暗号化視聴履歴情報ＩＲａを復号化して視聴履歴情報ＩＲとし、次のステップＳＰ１４へ移る。
【００７８】
ステップＳＰ１４において制御部２０は、正当性確認部２３において視聴履歴情報ＩＲが正しく復号化されたか否かを確認し、次のステップＳＰ１５へ移る。
【００７９】
ステップＳＰ１５において制御部２０は、視聴履歴情報ＩＲを正しく復号できたか否か、すなわち当該視聴履歴情報ＩＲが正当なものであったか否かを確認する。ここで否定結果が得られると、このことは視聴履歴情報ＩＲが不正なものであることを表しており、このとき制御部２０は、当該視聴履歴情報ＩＲを収集装置１８（図２）へ送信すべきでないと判断し、再度ステップＳＰ１１へ戻る。
【００８０】
一方ステップＳＰ１５において肯定結果が得られると、制御部２０は次のステップＳＰ１６へ移り、視聴履歴情報ＩＲをメモリ２４に記憶させ、次のステップＳＰ１７へ移る。
【００８１】
ステップＳＰ１７において制御部２０は、クリア信号生成部２５によりクリア信号ＳＣを生成させ、さらに暗号化回路２６により鍵データＫａを用いてこれを暗号化し暗号化クリア信号ＳＣａとし、次のステップＳＰ１８へ移る。
【００８２】
ステップＳＰ１８において制御部２０は、電話インタフェース２１により暗号化クリア信号ＳＣａを送信する。
【００８３】
これに応じて放送受信装置３は、ステップＳＰ３において暗号化クリア信号ＳＣａを受信し、次のステップＳＰ４へ移る。ステップＳＰ４において放送受信装置３は、鍵データＫａを用いて暗号化クリア信号ＳＣａを復号化してクリア信号ＳＣとした上で、当該クリア信号ＳＣに従いＣＡＳカード５の暗号化視聴履歴情報ＩＲａを消去し、次のステップＳＰ５へ移る。
【００８４】
ステップＳＰ５において放送受信装置３は、情報中継装置１１との間の電話回線接続を切断し、次のステップＳＰ６へ移ってルーチンＲＴ１を終了する。
【００８５】
これに応じて情報中継装置１１の制御部２０は、ステップＳＰ１９において放送受信装置３との間の電話回線接続を切断し、次のステップＳＰ２０へ移ってルーチンＲＴ２を終了する。
【００８６】
（１−２−２）視聴履歴情報送信シーケンス
次に、当該情報中継装置１１、携帯電話機１２及び収集装置１８の間における視聴履歴情報送信シーケンスＱ２について、図８を用いて詳細に説明する。
【００８７】
情報中継装置１１の制御部２０は、視聴履歴情報取得シーケンスＱ１（図７）のルーチンＲＴ１が終了すると、ルーチンＲＴ３を開始してステップＳＰ２１へ移る。ステップＳＰ２１において制御部２０は、メモリ２４に記憶している視聴履歴情報ＩＲを暗号化回路２５により暗号化して暗号化視聴履歴情報ＩＲｂとし、これに装置識別子ＩＤＳをヘッダ情報として組み合わせることにより送信データＤＳ（図４）を生成して、次のステップＳＰ２２へ移る。
【００８８】
ステップＳＰ２２において制御部２０は、携帯電話機１２が近距離無線通信アンテナ１１Ａの近傍にかざされると、近距離無線通信により送信データＤＳを当該携帯電話機１２へ送信する。
【００８９】
一方、携帯電話機１２は、所定のデータ送信プログラムを実行することによりルーチンＲＴ４を開始し、ステップＳＰ３１へ移る。ステップＳＰ３１において携帯電話機１２は、近距離無線通信により情報中継装置１１から送信データＤＳを受信し、次のステップＳＰ３２へ移る。
【００９０】
ステップＳＰ３２において携帯電話機１２は、携帯電話網１７（図２）を介して収集装置１８へ送信データＤＳを送信する。
【００９１】
収集装置１８は、電源の投入後にルーチンＲＴ５を開始し、ステップＳＰ４１において、携帯電話１２から携帯電話網１７を介して送信データＤＳを受信し、次のステップＳＰ４２へ移る。
【００９２】
ステップＳＰ４２において収集装置１８は、送信データＤＳに含まれる暗号化視聴履歴情報ＩＲｂを復号化して視聴履歴情報ＩＲを復元し、これを視聴履歴情報記憶部３５に記憶させ、次のステップＳＰ４３へ移る。
【００９３】
ステップＳＰ４３において収集装置１８は、クリア信号ＳＣを生成し鍵データＫｂを用いて暗号化した暗号化クリア信号ＳＣｂを携帯電話網１７を介して携帯電話機１２へ送信し、次のステップＳＰ４４へ移ってルーチンＲＴ５を終了する。
【００９４】
これに応じて携帯電話機１２は、ステップＳＰ３３において携帯電話網１７を介して暗号化クリア信号ＳＣｂを受信し、次のステップＳＰ３４へ移る。ステップＳＰ３４において携帯電話機１２は、近距離無線通信により暗号化クリア信号ＳＣｂを情報中継装置１１へ送信し、次のステップＳＰ３５へ移ってルーチンＲＴ４を終了する。
【００９５】
これに応じて情報中継装置１１の制御部２０は、ステップＳＰ２３において、近距離無線通信により暗号化クリア信号ＳＣｂを受信し、次のステップＳＰ２４へ移る。ステップＳＰ２４において制御部２０は、暗号化クリア信号ＳＣｂを復号化することによりクリア信号ＳＣを復元し、次のステップＳＰ２５へ移る。
【００９６】
ステップＳＰ２５において制御部２０は、クリア信号ＳＣに従いＣＡＳカード５内の暗号化視聴履歴情報ＩＲａを消去し、次のステップＳＰ２６へ移ってルーチンＲＴ３を終了する。
【００９７】
（１−３）動作及び効果
以上の構成において、コンテンツ視聴システム１０では、放送受信装置３においてユーザによりコンテンツが視聴される度に、暗号化視聴履歴情報ＩＲａをＣＡＳカード５に記憶させる。
【００９８】
その後コンテンツ視聴システム１０では、放送受信装置３から電話線６を介して暗号化視聴履歴情報ＩＲａを情報中継装置１１へ送信し、当該情報中継装置１１からの近距離無線通信により暗号化視聴履歴情報ＩＲｂを携帯電話機１２へ送信し、これを当該携帯電話機１２から携帯電話網１７を介して収集装置１８へ送信する。
【００９９】
従ってコンテンツ視聴システム１０では、放送受信装置３が設置された家庭において電話回線網７（図１）を利用することができなくても、携帯電話網１７を利用することができれば、情報中継装置１１及び携帯電話機１２を組み合わせて用いることにより、当該携帯電話網１７を介して視聴履歴情報ＩＲを収集装置１８へ受け渡すことができ、課金処理を正常に行うことができるので、ユーザにコンテンツを視聴させることができる。
【０１００】
このときコンテンツ視聴システム１０では、放送受信装置３が設置された家庭から収集装置１８へ視聴履歴情報ＩＲを送信する通信手段として携帯電話網１７を利用するため、ユーザによりコンテンツを視聴するために新たな通信回線等を敷設させる必要がない。
【０１０１】
因みにこの場合、仮に放送受信装置３が設置された家庭が携帯電話機１２の通信可能圏外であったとしても、当該携帯電話機１２がユーザにより通信可能圏内まで移動されれば、視聴履歴情報ＩＲを収集装置１８へ送信することができる。
【０１０２】
また情報中継装置１１は、近距離無線通信により視聴履歴情報ＩＲ（実際には送信データＤＳ）を携帯電話機１２へ受け渡すため、当該視聴履歴情報ＩＲを送信するために有線接続を行う必要がなく、これにより情報中継装置１１に必要な配線を電源ケーブル（図示せず）及び電話線６のみとすることができる。
【０１０３】
これによりコンテンツ視聴システム１０では、コンテンツ視聴システム１（図１）と比較して、情報中継装置１１が設置される家庭等における配線の煩雑化を抑え得ると共に、配線に伴う設置箇所の制約を緩和和し自由度を高めることが期待できる。
【０１０４】
さらにコンテンツ視聴システム１０では、情報中継装置１１が放送受信装置３から暗号化視聴履歴情報ＩＲａを受信した際、暗号化クリア信号ＳＣａを送信することにより、当該放送受信装置３から電話回線網７（図１）を介して収集装置１８へ暗号化視聴履歴情報ＩＲａを送信した場合と同様に、当該放送受信装置３のＣＡＳカード５から暗号化視聴履歴情報ＩＲａを消去することができる。
【０１０５】
すなわち放送受信装置３は、コンテンツ視聴システム１（図１）であるかコンテンツ視聴システム１０（図２）であるかを区別する必要なく、同様の動作を行えば良いため、動作プログラムの変更等といった手間がかからずに済む。
【０１０６】
そのうえコンテンツ視聴システム１０では、視聴履歴情報ＩＲを鍵データＫｂにより暗号化した状態で情報中継装置１１から収集装置１８まで送信するため、当該視聴履歴情報ＩＲの内容が第三者に知られ、或いは改竄されるといった不正利用を未然に防止することができる。
【０１０７】
またコンテンツ視聴システム１０では、情報中継装置１１が放送受信装置３から暗号化視聴履歴情報ＩＲａを受信した際、正当性確認部２３（図３）により正当性を確認した上で以降の処理を行うため、仮に不正な暗号化視聴履歴情報ＩＲａを受信したとしても、正当性を確認できない場合には処理を中断することができる。これによりコンテンツ視聴システム１０では、収集装置１８における正当性確認処理と合わせて、コンテンツに対する不正な課金処理が行われる危険性を高い確度で排除することができる。
【０１０８】
以上の構成によれば、コンテンツ視聴システム１０では、放送受信装置３のＣＡＳカード５に記憶された暗号化視聴履歴情報ＩＲａを、電話線６を介して情報中継装置１１へ受け渡した後、当該情報中継装置１１から近距離無線通信により暗号化視聴履歴情報ＩＲｂを携帯電話機１２へ送信し、これを当該携帯電話機１２から携帯電話網１７を介して収集装置１８へ送信することにより、放送受信装置３が設置された家庭において電話回線網７（図１）を利用することなく、視聴履歴情報ＩＲを収集装置１８へ受け渡すことができ、課金処理を正常に行うことができる。
【０１０９】
（２）第２の実施の形態
（２−１）コンテンツ視聴システムの構成
図２との対応部分に同一符号を付した図９において、コンテンツ視聴システム４０は、コンテンツ視聴システム１０（図２）と比較して、携帯電話機１２に代えて情報記憶媒体としての近距離無線カード４２と近距離無線通信装置４４が接続されたコンピュータ装置４３とが設けられ、携帯電話網１７に代えてインターネット網４７が用いられる点が異なっているものの、他は同様に構成されている。
【０１１０】
近距離無線通信カード４２は、携帯電話機１２と同様、情報中継装置１１の近距離無線インタフェース２８（図３）に対応する近距離無線インタフェース（図示せず）が設けられており、当該情報中継装置１１との間で互いに情報通信を行い得るようになされている。
【０１１１】
また近距離無線通信カード４２は、内部に不揮発性メモリ４２Ａを有しており、近距離無線通信により受信した情報を当該不揮発性メモリ４２Ａに格納し、また当該不揮発性メモリ４２Ａから読み出した情報を当該近距離無線通信により送信し得るようになされている。
【０１１２】
実際上、近距離無線通信カード４２は、第１の実施の携帯における携帯電話機１２と同様、ユーザにより情報中継装置１１の近距離無線通信アンテナ１１Ａの近傍にかざされると、当該情報中継装置１１から近距離無線通信により送信される送信データＤＳ（図４）を受信し、不揮発性メモリ４２Ａに記憶させる。
【０１１３】
ところで近距離無線通信装置４４は、情報中継装置１１（図３）における近距離無線通信インタフェース２８及び近距離無線通信アンテナ１１Ａと同様の機能を有しており、さらにＵＳＢ（Universal Serial Bus）ケーブルによりコンピュータ装置４３に接続されている。
【０１１４】
コンピュータ装置４３は、図１０に示すように、ＣＰＵ５１を中心に構成されている。ＣＰＵ５１は、コンピュータ装置４３の電源が投入されると、メモリ５２を適宜利用しながら、ハードディスクドライブ５３からＯＳ（Operating System）やデータ送信プログラム等の各種プログラムを読み出して実行することにより、データ送信処理等の種々の処理を行うようになされている。
【０１１５】
またＣＰＵ５１には、ＵＳＢインタフェース５４が接続されており、当該ＵＳＢインタフェース５４に接続された近距離無線通信装置４４との間で情報の送受信を行い得るようになされている。
【０１１６】
さらにＣＰＵ５１には、ネットワークインタフェース５５が接続されており、当該ネットワークインタフェース５５を介してインターネット網４７（図９）に接続された他のコンピュータ装置との間で情報の送受信を行い得るようになされている。
【０１１７】
実際上、コンテンツ視聴システム４０では、不揮発性メモリ４２Ａに送信データＤＳが記憶された近距離無線カード４２が近距離無線通信装置４４の近傍にかざされると、当該近距離無線通信装置４４により当該近距離無線カード４２の不揮発性メモリ４２Ａから送信データＤＳを読み出し、これをコンピュータ装置４３へ送信するようになされている。
【０１１８】
このときコンピュータ装置４３は、近距離無線通信装置４４から受信した送信データＤＳを、ネットワークインタフェース５５（図１０）からインターネット網４７を介したネットワーク通信により、収集装置１８へ送信するようになされている。
【０１１９】
すなわちコンピュータ装置４３は、近距離無線通信とネットワーク通信との相互変換処理を行うようになされている。
【０１２０】
これに応じて収集装置１８（図５）は、コンテンツ視聴システム１０の場合と同様に、送信データＤＳに含まれる暗号化視聴履歴情報ＩＲｂを復号化して視聴履歴情報ＩＲとし、これを情報中継装置１１の装置識別子ＩＤＳと対応付けて視聴履歴情報記憶部３５に記憶する。
【０１２１】
このようにコンテンツ視聴システム４０では、放送受信装置３から電話線６を介して情報中継装置１１へ視聴履歴情報ＩＲ（暗号化視聴履歴情報ＩＲａ）が受け渡された後、当該情報中継装置１１から近距離無線カード４２、コンピュータ装置４３を利用し、さらにインターネット網４７を介して送信データＤＳを収集装置１８へ受け渡すようになされている。
【０１２２】
また収集装置１８は、コンテンツ視聴システム１０の場合と同様に、正当な視聴履歴情報ＩＲを受信すると、暗号化クリア信号ＳＣｂを生成し、インターネット網４７を介してこれをコンピュータ装置４３へ送信する。これに応じてコンピュータ装置４３は、近距離無線通信装置４４を介してこの暗号化クリア信号ＳＣｂを近距離無線カード４２へ送信し、不揮発性メモリ４２Ａに記憶させる。
【０１２３】
近距離無線カード４２は、ユーザによって情報中継装置１１の近距離無線アンテナ１１Ａの近傍にかざされることにより、暗号化クリア信号ＳＣｂを送信する。これに応じて情報中継装置１１の制御部２０（図３）は、コンテンツ視聴システム１０の場合と同様に、暗号化クリア信号ＳＣｂをクリア信号ＳＣに復元してメモリ２４の視聴履歴情報ＩＲを消去するようになされている。
【０１２４】
このようにコンテンツ視聴システム４０では、放送受信装置３が設置された家庭に固定電話回線が敷設されておらず電話回線網７（図１）を利用できなかったとしても、当該放送受信装置３から電話線６を介して視聴履歴情報ＩＲを情報中継装置１１へ受け渡し、近距離無線カード４２、近距離無線通信装置４４が接続されたコンピュータ装置４３及びインターネット網４７を利用し、近距離無線通信及びネットワーク通信により、当該視聴履歴情報ＩＲを収集装置１８へ送信し得るようになされている。
【０１２５】
（２−２）視聴履歴情報の通信シーケンス
次に、コンテンツ視聴システム４０における視聴履歴情報の通信シーケンスについて説明する。コンテンツ視聴システム４０では、図６と対応する図１１に全体的な通信シーケンスを示すように、まず放送受信装置３と情報中継装置１１との間で電話線通信による視聴履歴情報取得シーケンスＱ１が実行され、次に当該情報中継装置１１、近距離無線カード４２、コンピュータ装置４３及び収集装置１８の間で近距離無線通信及びネットワーク通信による視聴履歴情報送信シーケンスＱ３が実行されるようになされている。
【０１２６】
因みに近距離無線通信装置４４については、コンピュータ装置４３と一体に動作するものとしており、以降の通信シーケンスにおいては省略している。
【０１２７】
ここでは、視聴履歴情報取得シーケンスＱ１についてはコンテンツ視聴システム１０の場合と同様であるためその説明については省略し、視聴履歴情報送信シーケンスＱ３について、図８と対応する図１２及び図１３を用いて詳細に説明する。
【０１２８】
情報中継装置１１の制御部２０は、視聴履歴情報取得シーケンスＱ１（図７）のルーチンＲＴ１が終了すると、ルーチンＲＴ６を開始してステップＳＰ５１へ移る。ステップＳＰ５１において制御部２０は、メモリ２４に記憶している視聴履歴情報ＩＲを暗号化回路２５により暗号化して暗号化視聴履歴情報ＩＲｂとし、これに装置識別子ＩＤＳをヘッダ情報として組み合わせることにより送信データＤＳ（図４）を生成して、次のステップＳＰ５２へ移る。
【０１２９】
ステップＳＰ５２において制御部２０は、近距離無線カード４２が近距離無線通信アンテナ１１Ａの近傍にかざされると、近距離無線通信により送信データＤＳを当該近距離無線カード４２へ送信する。
【０１３０】
一方、近距離無線カード４２は、近距離無線通信アンテナ１１Ａの近傍にかざされるとルーチンＲＴ７を開始してステップＳＰ６１へ移り、近距離無線通信により情報中継装置１１から送信データＤＳを受信して不揮発性メモリ４２Ａに記憶させる。
【０１３１】
その後、近距離無線カード４２は、近距離無線通信装置４４の近傍にかざされるとステップＳＰ６２へ移り、当該近距離無線通信装置４４へ送信データＤＳを送信する。
【０１３２】
一方、コンピュータ装置４３は、ユーザの操作により所定のデータ送信プログラムが実行されることによりルーチンＲＴ８を開始し、ステップＳＰ７１へ移る。ステップＳＰ７１においてコンピュータ装置４３は、近距離無線通信装置４４を介して近距離無線カード４２からの送信データＤＳを受信し、次のステップＳＰ７２へ移る。
【０１３３】
ステップＳＰ７２においてコンピュータ装置４３は、インターネット網４７を介して収集装置１８へ送信データＤＳを送信する。
【０１３４】
収集装置１８は、電源の投入後にルーチンＲＴ９を開始してステップＳＰ８１へ移り、コンピュータ装置４３からインターネット網４７を介して送信データＤＳを受信し、次のステップＳＰ８２へ移る。
【０１３５】
ステップＳＰ８２において収集装置１８は、送信データＤＳに含まれる暗号化視聴履歴情報ＩＲｂを復号化して視聴履歴情報ＩＲを復元し、これを視聴履歴情報記憶部３５に記憶させ、次のステップＳＰ８３へ移る。
【０１３６】
ステップＳＰ８３において収集装置１８は、クリア信号ＳＣを生成し鍵データＫｂを用いて暗号化した暗号化クリア信号ＳＣｂをインターネット網４７を介してコンピュータ装置４３へ送信し、次のステップＳＰ８４へ移ってルーチンＲＴ９を終了する。
【０１３７】
これに応じてコンピュータ装置４３は、ステップＳＰ７３においてインターネット網４７を介して暗号化クリア信号ＳＣｂを受信し、次のステップＳＰ７４へ移る。ステップＳＰ７４においてコンピュータ装置４３は、近距離無線通信装置４４を介した近距離無線通信により暗号化クリア信号ＳＣｂを近距離無線カード４２へ送信し、次のステップＳＰ７５へ移ってルーチンＲＴ８を終了する。
【０１３８】
これに応じて近距離無線カード４２は、ステップＳＰ６３においてコンピュータ装置４３から近距離無線通信装置４４を介して暗号化クリア信号ＳＣｂを受信する。
【０１３９】
その後、近距離無線カード４２は、情報中継装置１１の近傍にかざされることによりステップＳＰ６４へ移り、近距離無線通信により暗号化クリア信号ＳＣｂを当該情報中継装置１１へ送信し、次のステップＳＰ６５へ移ってルーチンＲＴ７を終了する。
【０１４０】
これに応じて情報中継装置１１の制御部２０は、ステップＳＰ５３において、近距離無線通信により暗号化クリア信号ＳＣｂを受信し、次のステップＳＰ５４へ移る。ステップＳＰ５４において制御部２０は、暗号化クリア信号ＳＣｂを復号化することによりクリア信号ＳＣを復元し、次のステップＳＰ５５へ移る。
【０１４１】
ステップＳＰ５５において制御部２０は、クリア信号ＳＣに従いＣＡＳカード５内の暗号化視聴履歴情報ＩＲａを消去し、次のステップＳＰ５６へ移ってルーチンＲＴ６を終了する。
【０１４２】
（２−３）動作及び効果
以上の構成において、コンテンツ視聴システム４０では、コンテンツ視聴システム１０と同様に、放送受信装置３においてユーザによりコンテンツが視聴される度に、暗号化視聴履歴情報ＩＲａをＣＡＳカード５に記憶させる。
【０１４３】
その後コンテンツ視聴システム４０では、放送受信装置３から電話線６を介して暗号化視聴履歴情報ＩＲａを情報中継装置１１へ送信し、当該情報中継装置１１からの近距離無線通信により暗号化視聴履歴情報ＩＲｂを近距離無線カード４２へ送信する。さらにコンテンツ視聴システム４０では、暗号化視聴履歴情報ＩＲｂを当該近距離無線カード４２から近距離無線通信によりコンピュータ装置４３へ送信し、当該コンピュータ装置４３からインターネット網４７を介して収集装置１８へ送信する。
【０１４４】
従ってコンテンツ視聴システム４０では、放送受信装置３が設置された家庭において電話回線網７（図１）を利用することができなかったとしても、インターネット網４７を利用することができれば、情報中継装置１１及び近距離無線カード４２並びにコンピュータ装置４３を組み合わせて用いることにより、当該インターネット網４７を介して視聴履歴情報ＩＲを収集装置１８へ受け渡すことができ、課金処理を正常に行うことができるので、ユーザにコンテンツを視聴させることができる。
【０１４５】
このときコンテンツ視聴システム４０では、放送受信装置３が設置された家庭から収集装置１８へ視聴履歴情報ＩＲを送信する通信手段として、既にこの家庭に敷設されているインターネット網４７を利用するため、ユーザによりコンテンツを視聴するために新たな通信回線等を敷設させる必要がない。
【０１４６】
また情報中継装置１１は、近距離無線通信により視聴履歴情報ＩＲ（実際には送信データＤＳ）を近距離無線カード４２へ受け渡すため、当該視聴履歴情報ＩＲを送信するために有線接続を行う必要がなく、これにより情報中継装置１１に必要な配線を電源ケーブル（図示せず）及び電話線６のみとすることができる。
【０１４７】
これによりコンテンツ視聴システム４０では、コンテンツ視聴システム１０と同様、コンテンツ視聴システム１（図１）と比較して、情報中継装置１１が設置される家庭等における配線の煩雑化を抑え得ると共に、配線に伴う設置箇所の制約を緩和し自由度を高めることが期待できる。
【０１４８】
また放送受信装置３は、このコンテンツ視聴システム４０においても、コンテンツ視聴システム１（図１）であるかコンテンツ視聴システム４０（図９）であるかを区別する必要なく、同様の動作を行えば良いため、動作プログラムの変更等といった手間がかからずに済む。
【０１４９】
以上の構成によれば、コンテンツ視聴システム４０では、放送受信装置３のＣＡＳカード５に記憶された暗号化視聴履歴情報ＩＲａを、電話線６を介して情報中継装置１１へ受け渡した後、当該情報中継装置１１から近距離無線通信により暗号化視聴履歴情報ＩＲｂを近距離無線カード４２へ送信し、これを当該近距離無線カード４２からコンピュータ装置４３へ送信し、さらに当該コンピュータ装置４３からインターネット網４７を介して収集装置１８へ送信することにより、コンテンツ視聴システム１０と同様、放送受信装置３が設置された家庭において電話回線網７（図１）を利用することなく、視聴履歴情報ＩＲを収集装置１８へ受け渡すことができ、課金処理を正常に行うことができる。
【０１５０】
（３）第３の実施の形態
（３−１）コンテンツ視聴システムの構成
図２及び図９との対応部分に同一符号を付した図１４において、コンテンツ視聴システム６０は、コンテンツ視聴システム４０（図９）と比較して、近距離無線通信機能を有する情報中継装置１１に代えて無線ＬＡＮ（Local Area Network）機能を有する情報中継装置６１が設けられ、近距離無線通信装置４４に代えて無線ＬＡＮアダプタ６２がコンピュータ装置４３に接続されている点が異なっているものの、他は当該コンテンツ視聴システム４０（図９）と同様に構成されている。
【０１５１】
図３との対応部分に同一符号を付した図１５に示すように、情報中継装置６１は、情報中継装置１１と比較して、制御部２０、近距離無線インタフェース２８及び近距離無線アンテナ１１Ａに代えて、制御部７０、無線ＬＡＮインタフェース７８及び無線ＬＡＮアンテナ６１Ａがそれぞれ設けられている点が異なっている。
【０１５２】
因みに情報中継装置６１の無線ＬＡＮインタフェース７８及び無線ＬＡＮアンテナ６１Ａ並びに無線ＬＡＮアダプタ６２は、ＩＥＥＥ（Institute of Electrical and Electronics Engineers）８０２．１１ａ／ｂ／ｇ方式に準拠している。
【０１５３】
情報中継装置６１は、制御部７０により統括制御されており、情報中継装置１１と同様、放送受信装置３との間で電話線通信を確立した後、当該放送受信装置３によりＣＡＳカード５から読み出された暗号化視聴履歴情報ＩＲａを取得し、復号化後の視聴履歴情報ＩＲをメモリ２４に記憶させるようになされている。
【０１５４】
また情報中継装置６１の制御部７０は、無線ＬＡＮインタフェース７８及び無線ＬＡＮアンテナ６１Ａを介した無線ＬＡＮ通信を行うことにより、無線ＬＡＮアダプタ６２（図１４）に対して送信データＤＳ（図４）を送信するようになされている。
【０１５５】
因みに制御部７０は、収集装置１８のＩＰアドレスを予め不揮発性メモリ（図示せず）に記憶しており、無線ＬＡＮインタフェース７８により当該ＩＰアドレスを宛先として送信データＤＳをパケット化して送信するようになされている。
【０１５６】
一方、コンテンツ視聴システム６０のコンピュータ装置４３（図１１）は、近距離無線通信装置４４に代えて無線ＬＡＮアダプタ６２が接続されており、無線ＬＡＮ通信と有線によるネットワーク通信との相互変換処理を行うようになされている。
【０１５７】
このためコンピュータ装置４３は、無線ＬＡＮアダプタ６２を介して受信した送信データＤＳをそのままインターネット網４７を介して収集装置１８へ送信する。
【０１５８】
これに応じて収集装置１８（図５）は、コンテンツ視聴システム４０の場合と同様に、送信データＤＳに含まれる暗号化視聴履歴情報ＩＲｂを復号化して視聴履歴情報ＩＲとし、これを情報中継装置６１の装置識別子ＩＤＳと対応付けて視聴履歴情報記憶部３５に記憶する。
【０１５９】
このようにコンテンツ視聴システム６０では、放送受信装置３から電話線６を介して情報中継装置６１へ視聴履歴情報ＩＲ（暗号化視聴履歴情報ＩＲａ）が受け渡された後、当該情報中継装置６１から送信データＤＳを無線ＬＡＮ通信によりコンピュータ装置４３へ受け渡し、さらにインターネット網４７を介したネットワーク通信により当該送信データＤＳを収集装置１８へ受け渡すようになされている。
【０１６０】
また収集装置１８は、コンテンツ視聴システム４０の場合と同様に、正当な視聴履歴情報ＩＲを受信すると、暗号化クリア信号ＳＣｂを生成し、インターネット網４７を介してこれをコンピュータ装置４３へ送信する。これに応じてコンピュータ装置４３は、無線ＬＡＮアダプタ６２を介してこの暗号化クリア信号ＳＣｂを情報中継装置６１へ送信する。
【０１６１】
これに応じて情報中継装置６１の制御部７０（図１５）は、コンテンツ視聴システム４０の場合と同様に、暗号化クリア信号ＳＣｂをクリア信号ＳＣに復元してメモリ２４の視聴履歴情報ＩＲを消去するようになされている。
【０１６２】
このようにコンテンツ視聴システム６０では、放送受信装置３が設置された家庭に固定電話回線が敷設されておらず電話回線網７（図１）を利用できなかったとしても、当該放送受信装置３から電話線６を介して視聴履歴情報ＩＲを情報中継装置６１へ受け渡し、無線ＬＡＮアダプタ６２が接続されたコンピュータ装置４３及びインターネット網４７を利用し、無線ＬＡＮ通信及びネットワーク通信により、当該視聴履歴情報ＩＲを収集装置１８へ送信し得るようになされている。
【０１６３】
（３−２）視聴履歴情報の通信シーケンス
次に、コンテンツ視聴システム６０における視聴履歴情報の通信シーケンスについて説明する。コンテンツ視聴システム６０では、図６、図１１と対応する図１６に全体的な通信シーケンスを示すように、まず放送受信装置３と情報中継装置６１との間で電話線通信による視聴履歴情報取得シーケンスＱ１が実行され、次に当該情報中継装置６１、コンピュータ装置４３及び収集装置１８の間で無線ＬＡＮ通信及びネットワーク通信による視聴履歴情報送信シーケンスＱ４が実行されるようになされている。
【０１６４】
因みに無線ＬＡＮアダプタ６２については、コンピュータ装置４３と一体に動作するものとしており、以降の通信シーケンスにおいては省略している。
【０１６５】
ここでは、視聴履歴情報取得シーケンスＱ１についてはコンテンツ視聴システム１０の場合と同様であるためその説明については省略し、視聴履歴情報送信シーケンスＱ４について、図８、図１２及び図１３と対応する図１７を用いて詳細に説明する。
【０１６６】
情報中継装置６１の制御部７０は、視聴履歴情報取得シーケンスＱ１（図７）のルーチンＲＴ１が終了すると、ルーチンＲＴ１０を開始してステップＳＰ１０１へ移る。ステップＳＰ１０１において制御部７０は、メモリ２４に記憶している視聴履歴情報ＩＲを暗号化回路２５により暗号化して暗号化視聴履歴情報ＩＲｂとし、これに装置識別子ＩＤＳをヘッダ情報として組み合わせることにより送信データＤＳ（図４）を生成して、次のステップＳＰ１０２へ移る。
【０１６７】
ステップＳＰ１０２において制御部７０は、無線ＬＡＮ通信により送信データＤＳを
コンピュータ装置４３に接続された無線ＬＡＮアダプタ６２へ送信する。
【０１６８】
一方、コンピュータ装置４３は、ユーザの操作により所定のデータ送信プログラムが実行されることによりルーチンＲＴ１１を開始し、ステップＳＰ１１１へ移る。ステップＳＰ１１１においてコンピュータ装置４３は、無線ＬＡＮアダプタ６２を介して情報中継装置６１からの送信データＤＳを受信し、次のステップＳＰ１１２へ移る。
【０１６９】
ステップＳＰ１１２においてコンピュータ装置４３は、インターネット網４７を介して収集装置１８へ送信データＤＳを送信する。
【０１７０】
収集装置１８は、電源の投入後にルーチンＲＴ１２を開始してステップＳＰ１２１へ移り、コンピュータ装置４３からインターネット網４７を介して送信データＤＳを受信し、次のステップＳＰ１２２へ移る。
【０１７１】
ステップＳＰ１２２において収集装置１８は、送信データＤＳに含まれる暗号化視聴履歴情報ＩＲｂを復号化して視聴履歴情報ＩＲを復元し、これを視聴履歴情報記憶部３５に記憶させ、次のステップＳＰ１２３へ移る。
【０１７２】
ステップＳＰ１２３において収集装置１８は、クリア信号ＳＣを生成し暗号化することにより暗号化クリア信号ＳＣｂを生成し、インターネット網４７を介してこれをコンピュータ装置４３へ送信した後、次のステップＳＰ１２４へ移ってルーチンＲＴ１２を終了する。
【０１７３】
これに応じてコンピュータ装置４３は、ステップＳＰ１１３においてインターネット網４７を介して暗号化クリア信号ＳＣｂを受信し、次のステップＳＰ１１４へ移る。ステップＳＰ１１４においてコンピュータ装置４３は、無線ＬＡＮアダプタ６２を介した無線ＬＡＮ通信により暗号化クリア信号ＳＣｂを情報中継装置６１へ送信し、次のステップＳＰ１１５へ移ってルーチンＲＴ１１を終了する。
【０１７４】
これに応じて情報中継装置６１の制御部７０は、ステップＳＰ１０３において、無線ＬＡＮ通信により暗号化クリア信号ＳＣｂを受信し、次のステップＳＰ１０４へ移る。ステップＳＰ１０４において制御部７０は、暗号化クリア信号ＳＣｂを復号化することによりクリア信号ＳＣを復元し、次のステップＳＰ１０５へ移る。
【０１７５】
ステップＳＰ１０５において制御部７０は、クリア信号ＳＣに従いＣＡＳカード５内の暗号化視聴履歴情報ＩＲａを消去し、次のステップＳＰ１０６へ移ってルーチンＲＴ１０を終了する。
【０１７６】
（３−３）動作及び効果
以上の構成において、コンテンツ視聴システム６０では、コンテンツ視聴システム１０及び４０と同様に、放送受信装置３においてユーザによりコンテンツが視聴される度に、暗号化視聴履歴情報ＩＲａをＣＡＳカード５に記憶させる。
【０１７７】
その後コンテンツ視聴システム６０では、放送受信装置３から電話線６を介して暗号化視聴履歴情報ＩＲａを情報中継装置６１へ送信し、当該情報中継装置６１からの無線ＬＡＮ通信により暗号化視聴履歴情報ＩＲｂをコンピュータ装置４３へ送信し、当該コンピュータ装置４３からインターネット網４７を介して収集装置１８へ送信する。
【０１７８】
従ってコンテンツ視聴システム６０では、放送受信装置３が設置された家庭において電話回線網７（図１）を利用することができなかったとしても、インターネット網４７を利用することができれば、情報中継装置６１及び無線ＬＡＮアダプタ６２並びにコンピュータ装置４３を組み合わせて用いることにより、インターネット網４７を介して視聴履歴情報ＩＲを収集装置１８へ受け渡すことができ、課金処理を正常に行うことができるので、ユーザにコンテンツを視聴させることができる。
【０１７９】
このときコンテンツ視聴システム６０では、コンテンツ視聴システム４０と同様、放送受信装置３が設置された家庭から収集装置１８へ視聴履歴情報ＩＲを送信する通信手段として、この家庭に敷設されているインターネット網４７を利用するため、ユーザによりコンテンツを視聴するために新たな通信回線等を敷設させる必要がない。
【０１８０】
また情報中継装置６１は、無線ＬＡＮ通信により視聴履歴情報ＩＲ（実際には送信データＤＳ）を無線ＬＡＮアダプタ６２へ受け渡すため、当該視聴履歴情報ＩＲを送信するために有線接続を行う必要がなく、これにより情報中継装置６１に必要な配線を電源ケーブル（図示せず）及び電話線６のみとすることができる。
【０１８１】
これによりコンテンツ視聴システム６０では、コンテンツ視聴システム１０及び４０と同様、コンテンツ視聴システム１（図１）と比較して、情報中継装置６１が設置される家庭等における配線の煩雑化を抑え得ると共に、配線に伴う設置箇所の制約を緩和し自由度を高めることが期待できる。
【０１８２】
また放送受信装置３は、このコンテンツ視聴システム６０においても、コンテンツ視聴システム１（図１）であるかコンテンツ視聴システム６０（図１４）であるかを区別する必要なく、同様の動作を行えば良いため、動作プログラムの変更等といった手間がかからずに済む。
【０１８３】
以上の構成によれば、コンテンツ視聴システム６０では、放送受信装置３のＣＡＳカード５に記憶された暗号化視聴履歴情報ＩＲａを、電話線６を介して情報中継装置６１へ受け渡した後、当該情報中継装置６１から無線ＬＡＮ通信により暗号化視聴履歴情報ＩＲｂをコンピュータ装置４３へ送信し、さらに当該コンピュータ装置４３からインターネット網４７を介して収集装置１８へ送信することにより、コンテンツ視聴システム１０及び４０と同様、放送受信装置３が設置された家庭において電話回線網７（図１）を利用することなく、視聴履歴情報ＩＲを収集装置１８へ受け渡すことができ、課金処理を正常に行うことができる。
【０１８４】
（４）他の実施の形態
なお上述した第１の実施の形態においては、情報中継装置１１において視聴履歴情報ＩＲを暗号化し、暗号化視聴履歴情報ＩＲｂとして（実際には送信データＤＳとして）携帯電話機１２へ受け渡し、これを収集装置１８へ送信するようにした場合について述べたが、本発明はこれに限らず、例えば近距離無線通信において暗号化処理が行われることを考慮し、携帯電話網１７におけるセキュリティが確保されていると見なし得る場合に、視聴履歴情報ＩＲを暗号化せず平文のまま装置識別子ＩＤＳと組み合わせて送信データＤＳとし、情報中継装置１１から携帯電話機１２を介して収集装置１８へ送信するようにしても良い。クリア信号ＳＣについても同様である。
【０１８５】
また上述した第１及び第２実施の形態においては、コンテンツ視聴システム１０及び４０の近距離無線通信において、所定の暗号化処理を施して通信を行うようにした場合について述べたが、本発明はこれに限らず、例えば送信データＤＳに含まれる暗号化視聴履歴情報ＩＲｂが既に暗号化されていることを考慮し、近距離無線通信においてさらなる暗号化処理を行わないようにしても良い。これにより、情報中継装置１１、携帯電話機１２や近距離無線カード４２等における演算処理量を削減でき、通信処理時間の短縮化を図ることができる。
【０１８６】
さらに上述した実施の形態においては、コンテンツ視聴システム１において用いるＣＡＳカード５をコンテンツ視聴システム１０、４０及び６０においてそのまま用いるようにした場合について述べたが、本発明はこれに限らず、例えばトリプルＤＥＳ方式やＡＥＳ（Advanced Encryption Standard）方式等、ＣＡＳカード５と異なる暗号化方式に対応したＣＡＳカードを用いるようにしても良い。
【０１８７】
この場合、放送受信装置３はそのまま利用することができるので、ＣＡＳカードの交換のみでセキュリティレベルを向上させることができる。
【０１８８】
さらに上述した第３の実施の形態においては、情報中継装置６１とコンピュータ装置４３との間で無線ＬＡＮ通信を行うようにした場合について述べたが、本発明はこれに限らず、例えば情報中継装置６１とコンピュータ装置４３との間でＢｌｕｅｔｏｏｔｈ（登録商標）やワイヤレスＵＳＢ等の他の無線方式で通信するようにしても良い。
【０１８９】
さらに上述した第１〜第３の実施の形態においては、情報中継装置１１及び６１において放送受信装置３から取得した暗号化視聴履歴情報ＩＲａを復号化して視聴履歴情報ＩＲとしてメモリ２４に記憶させるようにした場合について述べたが、本発明はこれに限らず、例えば情報中継装置１１及び６１において暗号化視聴履歴情報ＩＲａを復号化せず、そのままメモリ２４に記憶させるようにしても良い。
【０１９０】
さらに上述した実施の形態においては、放送受信装置３が映像及び音声を含むテレビジョン番組でなるコンテンツを受信する場合について述べたが、本発明はこれに限らず、例えば放送受信装置３が音声コンテンツや静止画像コンテンツ等の種々のコンテンツを受信するようにしても良い。
【０１９１】
さらに上述した実施の形態においては、コンテンツ単位で課金されるコンテンツ視聴システム１０、４０及び６０に本発明を適用する場合について述べたが、本発明はこれに限らず、例えばコンテンツの視聴に応じて日単位や週単位、或いはチャンネル単位で課金されるコンテンツ視聴システムに適用しても良く、要はコンテンツの視聴状況に応じて課金される場合にコンテンツの視聴履歴情報を収集装置１８へ送信するようなコンテンツ視聴システムであれば良い。
【０１９２】
さらに上述した実施の形態においては、取得手段としての電話インタフェース２１と、無線通信手段としての近距離無線インタフェース２８又は無線ＬＡＮインタフェース７８とによって情報中継装置としての情報中継装置１１又は６１を構成する場合について述べたが、本発明はこれに限らず、その他種々の回路構成でなる取得手段と、無線通信手段とによって情報中継装置を構成するようにしても良い。
【産業上の利用可能性】
【０１９３】
本発明は、種々のペイパービュー方式の放送視聴システム等でも利用できる。
【図面の簡単な説明】
【０１９４】
【図１】従来のコンテンツ視聴システムの構成を示す略線図である。
【図２】第１の実施の形態におけるコンテンツ視聴システムの構成を示す略線図である。
【図３】情報中継装置の構成を示す略線的ブロック図である。
【図４】送信データの構成を示す略線図である。
【図５】収集装置の構成を示す略線的ブロック図である。
【図６】第１の実施の形態における視聴履歴情報の通信シーケンスを示す略線図である。
【図７】視聴履歴取得シーケンスを示す略線図である。
【図８】第１の実施の形態における視聴履歴情報送信シーケンスを示す略線図である。
【図９】第２の実施の形態におけるコンテンツ視聴システムの構成を示す略線図である。
【図１０】コンピュータ装置の構成を示す略線的ブロック図である。
【図１１】第２の実施の形態における視聴履歴情報の通信シーケンスを示す略線図である。
【図１２】第２の実施の形態における視聴履歴情報送信シーケンス（１）を示す略線図である。
【図１３】第２の実施の形態における視聴履歴情報送信シーケンス（２）を示す略線図である。
【図１４】第３の実施の形態におけるコンテンツ視聴システムの構成を示す略線図である。
【図１５】第３の実施の形態における情報中継装置の構成を示す略線的ブロック図である。
【図１６】第３の実施の形態における視聴履歴情報の通信シーケンスを示す略線図である。
【図１７】第３の実施の形態における視聴履歴情報送信シーケンスを示す略線図である。
【符号の説明】
【０１９５】
１、１０、４０、６０……コンテンツ視聴システム、３……放送受信装置、５……ＣＡＳカード、７……電話回線網、８、１８……収集装置、１１、６１……情報中継装置、１２……携帯電話機、１７……携帯電話網、２０、７０……制御部、２１……電話インタフェース、２４……メモリ、２８……近距離無線インタフェース、４２……近距離無線カード、４２Ａ……不揮発性メモリ、４３……コンピュータ装置、４４……近距離無線通信装置、４７……インターネット網、６２……無線ＬＡＮアダプタ、７８……無線ＬＡＮインタフェース、ＩＲ……視聴履歴情報、ＩＲａ、ＩＲｂ……暗号化視聴履歴情報、ＳＣ……クリア信号、ＳＣｂ……暗号化クリア情報。
【図１】
2008042327.tif 000003
【図２】
2008042327.tif 000004
【図３】
2008042327.tif 000005
【図４】
2008042327.tif 000006
【図５】
2008042327.tif 000007
【図６】
2008042327.tif 000008
【図７】
2008042327.tif 000009
【図８】
2008042327.tif 000010
【図９】
2008042327.tif 000011
【図１０】
2008042327.tif 000012
【図１１】
2008042327.tif 000013
【図１２】
2008042327.tif 000014
【図１３】
2008042327.tif 000015
【図１４】
2008042327.tif 000016
【図１５】
2008042327.tif 000017
【図１６】
2008042327.tif 000018
【図１７】
2008042327.tif 000019